(57)【要約】【課題】宅側装置との通信接続が確立されてから当該宅側装置へ通信サービスが提供できるまでに要する時間を短縮する。【解決手段】局側装置は、複数の宅側装置と通信可能な局側装置であって、複数の前記宅側装置にそれぞれ対応する複数の設定情報を取得する取得部と、前記宅側装置との通信接続を確立するための接続処理を行うとともに、対応する前記設定情報に含まれる一部または全部の情報を用いて前記宅側装置と通信する通信部と、前記取得部によって取得された前記設定情報に含まれる一部または全部の情報を前記通信部に設定する設定処理を行う設定部とを備え、前記設定部は、通信接続を確立していない前記宅側装置についての前記接続処理を前記通信部が行うことと並行して、通信接続を確立済の前記宅側装置についての前記設定処理を優先的に開始する。【選択図】図３
2020127144.tif 000002
【特許請求の範囲】
【請求項１】
複数の宅側装置と通信可能な局側装置であって、
複数の前記宅側装置にそれぞれ対応する複数の設定情報を取得する取得部と、
前記宅側装置との通信接続を確立するための接続処理を行うとともに、対応する前記設定情報に含まれる一部または全部の情報を用いて前記宅側装置と通信する通信部と、
前記取得部によって取得された前記設定情報に含まれる一部または全部の情報を前記通信部に設定する設定処理を行う設定部とを備え、
前記設定部は、通信接続を確立していない前記宅側装置についての前記接続処理を前記通信部が行うことと並行して、通信接続を確立済の前記宅側装置についての前記設定処理を優先的に開始する、局側装置。
【請求項２】
前記設定部は、通信接続を確立済の複数の前記宅側装置の中から、前記宅側装置の優先度に応じた順番に従って前記設定処理を開始する、請求項１に記載の局側装置。
【請求項３】
前記設定部は、通信接続を確立済の１または複数の前記宅側装置を示す接続情報に基づいて、前記設定処理を開始する、請求項１または請求項２に記載の局側装置。
【請求項４】
前記設定部は、通信接続を確立済の前記宅側装置が存在しない場合、通信接続を確立していない複数の前記宅側装置の中から、前記宅側装置の優先度に応じた順番に従って前記設定処理を開始する、請求項１から請求項３のいずれか１項に記載の局側装置。
【請求項５】
複数の宅側装置と、
複数の前記宅側装置と通信可能な局側装置とを備え、
前記局側装置は、前記宅側装置との通信接続を確立するための接続処理を行い、
前記局側装置は、複数の前記宅側装置にそれぞれ対応する複数の設定情報を取得し、取得した各前記設定情報に含まれる一部または全部の情報を用いて対応の前記宅側装置との通信に関する設定処理を行い、
前記局側装置は、前記設定処理において設定された情報を用いて、通信接続を確立済の前記宅側装置と通信し、
前記局側装置は、通信接続を確立していない前記宅側装置についての前記接続処理を行うことと並行して、通信接続を確立済の前記宅側装置についての前記設定処理を優先的に開始する、通信システム。
【請求項６】
複数の宅側装置と通信可能な局側装置における通信制御方法であって、
前記宅側装置との通信接続を確立するための接続処理を行うステップと、
複数の前記宅側装置にそれぞれ対応する複数の設定情報を取得するステップと、
取得した各前記設定情報に含まれる一部または全部の情報を用いて対応の前記宅側装置との通信に関する設定処理を行うステップとを含み、
前記設定処理を行うステップにおいては、通信接続を確立していない前記宅側装置についての前記接続処理を行うことと並行して、通信接続を確立済の前記宅側装置についての前記設定処理を優先的に開始する、通信制御方法。
【請求項７】
複数の宅側装置と、複数の前記宅側装置と通信可能な局側装置とを備える通信システムにおける通信制御方法であって、
前記局側装置が、前記宅側装置との通信接続を確立するための接続処理を行うステップと、
前記局側装置が、複数の前記宅側装置にそれぞれ対応する複数の設定情報を取得するステップと、
前記局側装置が、取得した各前記設定情報に含まれる一部または全部の情報を用いて対応の前記宅側装置との通信に関する設定処理を行うステップと、
前記局側装置が、前記設定処理において設定された情報を用いて、通信接続を確立済の前記宅側装置と通信するステップとを含み、
前記局側装置が前記設定処理を行うステップにおいては、前記局側装置が、通信接続を確立していない前記宅側装置についての前記接続処理を行うことと並行して、通信接続を確立済の前記宅側装置についての前記設定処理を優先的に開始する、通信制御方法。
【発明の詳細な説明】
【技術分野】
【０００１】
本開示は、局側装置、通信システムおよび通信制御方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Ａｓｙｍｍｅｔｒｉｃ  Ｄｉｇｉｔａｌ  Ｓｕｂｓｃｒｉｂｅｒ  Ｌｉｎｅ）およびＦＴＴＨ（Ｆｉｂｅｒ  Ｔｏ  Ｔｈｅ  Ｈｏｍｅ）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Ｏｐｔｉｃａｌ  Ｎｅｔｗｏｒｋ  Ｕｎｉｔ）が光通信回線を共有して局側装置（ＯＬＴ：Ｏｐｔｉｃａｌ  Ｌｉｎｅ  Ｔｅｒｍｉｎａｌ）とのデータ伝送を行なう媒体共有形通信である受動的光ネットワーク（ＰＯＮ：Ｐａｓｓｉｖｅ  Ｏｐｔｉｃａｌ  Ｎｅｔｗｏｒｋ）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ｅｔｈｅｒｎｅｔ（登録商標）  ＰＯＮ）と、ＥＰＯＮのアクセス制御プロトコル（ＭＰＣＰ（Ｍｕｌｔｉ−Ｐｏｉｎｔ  Ｃｏｎｔｒｏｌ  Ｐｒｏｔｏｃｏｌ））およびＯＡＭ（Ｏｐｅｒａｔｉｏｎｓ  Ａｄｍｉｎｉｓｔｒａｔｉｏｎ  ａｎｄ  Ｍａｉｎｔｅｎａｎｃｅ）プロトコルとが規定されている。局側装置と宅側装置との間でＭＰＣＰフレームをやりとりすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
また、特許文献１（国際公開第２０１５／１６６７９１号）には、以下のような局側装置が開示されている。すなわち、局側装置は、複数の宅側装置と通信可能な局側装置であって、前記宅側装置の設定情報を他の装置から取得する取得処理を行なう取得部と、前記取得部によって取得された前記設定情報の一部または全部を前記宅側装置へ送信する設定処理を行なう設定部とを備え、前記取得部は、各前記宅側装置の優先度に応じた順番で前記各宅側装置の前記取得処理を行なう。
【先行技術文献】
【特許文献】
【０００５】
【特許文献１】国際公開第２０１５／１６６７９１号
【非特許文献】
【０００６】
【非特許文献１】ＩＥＥＥ  Ｓｔｄ  ８０２．３ａｈ（登録商標）−２００４
【発明の概要】
【発明が解決しようとする課題】
【０００７】
このような特許文献１に記載の技術を超えて、宅側装置との通信接続が確立されてから当該宅側装置へ通信サービスが提供できるまでに要する時間を短縮することが可能な技術が望まれる。
【０００８】
本開示は、上述の課題を解決するためになされたもので、その目的は、宅側装置との通信接続が確立されてから当該宅側装置へ通信サービスが提供できるまでに要する時間を短縮することが可能な局側装置、通信システムおよび通信制御方法を提供することである。
【課題を解決するための手段】
【０００９】
本開示の局側装置は、複数の宅側装置と通信可能な局側装置であって、複数の前記宅側装置にそれぞれ対応する複数の設定情報を取得する取得部と、前記宅側装置との通信接続を確立するための接続処理を行うとともに、対応する前記設定情報に含まれる一部または全部の情報を用いて前記宅側装置と通信する通信部と、前記取得部によって取得された前記設定情報に含まれる一部または全部の情報を前記通信部に設定する設定処理を行う設定部とを備え、前記設定部は、通信接続を確立していない前記宅側装置についての前記接続処理を前記通信部が行うことと並行して、通信接続を確立済の前記宅側装置についての前記設定処理を優先的に開始する。
【００１０】
本開示の通信システムは、複数の宅側装置と、複数の前記宅側装置と通信可能な局側装置とを備え、前記局側装置は、前記宅側装置との通信接続を確立するための接続処理を行い、前記局側装置は、複数の前記宅側装置にそれぞれ対応する複数の設定情報を取得し、取得した各前記設定情報に含まれる一部または全部の情報を用いて対応の前記宅側装置との通信に関する設定処理を行い、前記局側装置は、前記設定処理において設定された情報を用いて、通信接続を確立済の前記宅側装置と通信し、前記局側装置は、通信接続を確立していない前記宅側装置についての前記接続処理を行うことと並行して、通信接続を確立済の前記宅側装置についての前記設定処理を優先的に開始する。
【００１１】
本開示の通信制御方法は、複数の宅側装置と通信可能な局側装置における通信制御方法であって、前記宅側装置との通信接続を確立するための接続処理を行うステップと、複数の前記宅側装置にそれぞれ対応する複数の設定情報を取得するステップと、取得した各前記設定情報に含まれる一部または全部の情報を用いて対応の前記宅側装置との通信に関する設定処理を行うステップとを含み、前記設定処理を行うステップにおいては、通信接続を確立していない前記宅側装置についての前記接続処理を行うことと並行して、通信接続を確立済の前記宅側装置についての前記設定処理を優先的に開始する。
【００１２】
本開示の通信制御方法は、複数の宅側装置と、複数の前記宅側装置と通信可能な局側装置とを備える通信システムにおける通信制御方法であって、前記局側装置が、前記宅側装置との通信接続を確立するための接続処理を行うステップと、前記局側装置が、複数の前記宅側装置にそれぞれ対応する複数の設定情報を取得するステップと、前記局側装置が、取得した各前記設定情報に含まれる一部または全部の情報を用いて対応の前記宅側装置との通信に関する設定処理を行うステップと、前記局側装置が、前記設定処理において設定された情報を用いて、通信接続を確立済の前記宅側装置と通信するステップとを含み、前記局側装置が前記設定処理を行うステップにおいては、前記局側装置が、通信接続を確立していない前記宅側装置についての前記接続処理を行うことと並行して、通信接続を確立済の前記宅側装置についての前記設定処理を優先的に開始する。
【００１３】
本開示の一態様は、このような特徴的な処理部を備える局側装置として実現され得るだけでなく、かかる特徴的な処理のステップをコンピュータに実行させるためのプログラムとして実現され得る。また、本開示の一態様は、局側装置の一部または全部を実現する半導体集積回路として実現され得る。
【００１４】
本開示の一態様は、このような特徴的な処理部を備える通信システムとして実現され得るだけでなく、かかる特徴的な処理のステップをコンピュータに実行させるためのプログラムとして実現され得る。また、本開示の一態様は、通信システムの一部または全部を実現する半導体集積回路として実現され得る。
【発明の効果】
【００１５】
本開示によれば、宅側装置との通信接続が確立されてから当該宅側装置へ通信サービスが提供できるまでに要する時間を短縮することができる。
【図面の簡単な説明】
【００１６】
【図１】図１は、本開示の実施の形態に係るＰＯＮシステムの構成を示す図である。
【図２】図２は、本開示の実施の形態に係るＰＯＮシステムにおける各種処理の順番の一例を示す図である。
【図３】図３は、本開示の実施の形態に係る局側装置の構成を示す図である。
【図４】図４は、本開示の実施の形態に係るＰＯＮシステムにおける各種処理の順番の一例を示す図である。
【図５】図５は、本開示の実施の形態に係るＰＯＮシステムにおける管理テーブルの一例を示す図である。
【図６】図６は、本開示の実施の形態に係るＰＯＮシステムにおいて局側装置が宅側装置の設定処理を行なう際の動作手順を定めたフローチャートである。
【図７】図７は、本開示の実施の形態に係るＰＯＮシステムの局側装置および宅側装置による各種処理のシーケンスを示す図である。
【図８】図８は、図７のシーケンスに従って各種処理を行った場合における管理テーブルの変化の一例を示す図である。
【図９】図９は、本開示の実施の形態の変形例１に係る局側装置における記憶部が記憶している優先テーブルを示す図である。
【図１０】図１０は、本開示の実施の形態の変形例１に係るＰＯＮシステムにおいて局側装置が宅側装置の設定処理を行なう際の動作手順を定めたフローチャートである。
【図１１】図１１は、本開示の実施の形態の変形例２に係る局側装置における記憶部が記憶している優先テーブルを示す図である。
【図１２】図１２は、本開示の実施の形態の変形例２に係るＰＯＮシステムにおいて局側装置が宅側装置の設定処理を行なう際の動作手順を定めたフローチャートである。
【発明を実施するための形態】
【００１７】
最初に、本開示の実施形態の内容を列記して説明する。
【００１８】
（１）本開示の実施の形態に係る局側装置は、複数の宅側装置と通信可能な局側装置であって、複数の前記宅側装置にそれぞれ対応する複数の設定情報を取得する取得部と、前記宅側装置との通信接続を確立するための接続処理を行うとともに、対応する前記設定情報に含まれる一部または全部の情報を用いて前記宅側装置と通信する通信部と、前記取得部によって取得された前記設定情報に含まれる一部または全部の情報を前記通信部に設定する設定処理を行う設定部とを備え、前記設定部は、通信接続を確立していない前記宅側装置についての前記接続処理を前記通信部が行うことと並行して、通信接続を確立済の前記宅側装置についての前記設定処理を優先的に開始する。
【００１９】
このように、通信接続を確立していない宅側装置についての接続処理を行うことと並行して、通信接続を確立済の宅側装置についての設定処理を優先的に開始する構成により、各宅側装置との通信接続が順次確立していく状況において、通信接続が確立した宅側装置についての設定処理を、通信接続が未確立の宅側装置についての設定処理よりも先に開始することができる。これにより、宅側装置との通信接続を確立してから、局側装置および宅側装置間において各種通信サービスを提供するための通信情報の伝送が開始されるまでの時間すなわち通信待ち時間を短縮することができる。したがって、宅側装置との通信接続が確立されてから当該宅側装置へ通信サービスが提供できるまでに要する時間を短縮することができる。
【００２０】
（２）好ましくは、前記設定部は、通信接続を確立済の複数の前記宅側装置の中から、前記宅側装置の優先度に応じた順番に従って前記設定処理を開始する。
【００２１】
このような構成により、通信接続を確立済の宅側装置を優先することに加えて、さらに、通信接続を確立済の複数の宅側装置の中から、優先度に応じて通信待ち時間を短縮することができる。これにより、たとえばビジネス向けの契約および一般住宅向けの契約等の契約内容に応じて、異なるサービスクラスの通信サービスを提供することができる。
【００２２】
（３）好ましくは、前記設定部は、通信接続を確立済の１または複数の前記宅側装置を示す接続情報に基づいて、前記設定処理を開始する。
【００２３】
このような構成により、通信接続を確立済の宅側装置を簡易な処理で認識し、当該通信接続を確立済の宅側装置についての設定処理を優先的に開始することができる。
【００２４】
（４）好ましくは、前記設定部は、通信接続を確立済の前記宅側装置が存在しない場合、通信接続を確立していない複数の前記宅側装置の中から、前記宅側装置の優先度に応じた順番に従って前記設定処理を開始する。
【００２５】
このような構成により、通信接続を確立済の宅側装置が存在しない場合においても、通信接続を確立していない複数の宅側装置の中から、優先度に応じて通信待ち時間を短縮することができる。
【００２６】
（５）本開示の実施の形態に係る通信システムは、複数の宅側装置と、複数の前記宅側装置と通信可能な局側装置とを備え、前記局側装置は、前記宅側装置との通信接続を確立するための接続処理を行い、前記局側装置は、複数の前記宅側装置にそれぞれ対応する複数の設定情報を取得し、取得した各前記設定情報に含まれる一部または全部の情報を用いて対応の前記宅側装置との通信に関する設定処理を行い、前記局側装置は、前記設定処理において設定された情報を用いて、通信接続を確立済の前記宅側装置と通信し、前記局側装置は、通信接続を確立していない前記宅側装置についての前記接続処理を行うことと並行して、通信接続を確立済の前記宅側装置についての前記設定処理を優先的に開始する。
【００２７】
このように、局側装置が、通信接続を確立していない宅側装置についての接続処理を行うことと並行して、通信接続を確立済の宅側装置についての設定処理を優先的に開始する構成により、各宅側装置との通信接続が順次確立していく状況において、通信接続が確立した宅側装置についての設定処理を、通信接続が未確立の宅側装置についての設定処理よりも先に開始することができる。これにより、局側装置が宅側装置との通信接続を確立してから、局側装置および宅側装置間において各種通信サービスを提供するための通信情報の伝送が開始されるまでの時間すなわち通信待ち時間を短縮することができる。したがって、宅側装置との通信接続が確立されてから当該宅側装置へ通信サービスが提供できるまでに要する時間を短縮することができる。
【００２８】
（６）本開示の実施の形態に係る通信制御方法は、複数の宅側装置と通信可能な局側装置における通信制御方法であって、前記宅側装置との通信接続を確立するための接続処理を行うステップと、複数の前記宅側装置にそれぞれ対応する複数の設定情報を取得するステップと、取得した各前記設定情報に含まれる一部または全部の情報を用いて対応の前記宅側装置との通信に関する設定処理を行うステップとを含み、前記設定処理を行うステップにおいては、通信接続を確立していない前記宅側装置についての前記接続処理を行うことと並行して、通信接続を確立済の前記宅側装置についての前記設定処理を優先的に開始する。
【００２９】
このように、局側装置が、通信接続を確立していない宅側装置についての接続処理を行うことと並行して、通信接続を確立済の宅側装置についての設定処理を優先的に開始する構成により、各宅側装置との通信接続が順次確立していく状況において、通信接続が確立した宅側装置についての設定処理を、通信接続が未確立の宅側装置についての設定処理よりも先に開始することができる。これにより、局側装置が宅側装置との通信接続を確立してから、局側装置および宅側装置間において各種通信サービスを提供するための通信情報の伝送が開始されるまでの時間すなわち通信待ち時間を短縮することができる。したがって、宅側装置との通信接続が確立されてから当該宅側装置へ通信サービスが提供できるまでに要する時間を短縮することができる。
【００３０】
（７）本開示の実施の形態に係る通信制御方法は、複数の宅側装置と、複数の前記宅側装置と通信可能な局側装置とを備える通信システムにおける通信制御方法であって、前記局側装置が、前記宅側装置との通信接続を確立するための接続処理を行うステップと、前記局側装置が、複数の前記宅側装置にそれぞれ対応する複数の設定情報を取得するステップと、前記局側装置が、取得した各前記設定情報に含まれる一部または全部の情報を用いて対応の前記宅側装置との通信に関する設定処理を行うステップと、前記局側装置が、前記設定処理において設定された情報を用いて、通信接続を確立済の前記宅側装置と通信するステップとを含み、前記局側装置が前記設定処理を行うステップにおいては、前記局側装置が、通信接続を確立していない前記宅側装置についての前記接続処理を行うことと並行して、通信接続を確立済の前記宅側装置についての前記設定処理を優先的に開始する。
【００３１】
このように、局側装置が、通信接続を確立していない宅側装置についての接続処理を行うことと並行して、通信接続を確立済の宅側装置についての設定処理を優先的に開始する構成により、各宅側装置との通信接続が順次確立していく状況において、通信接続が確立した宅側装置についての設定処理を、通信接続が未確立の宅側装置についての設定処理よりも先に開始することができる。これにより、局側装置が宅側装置との通信接続を確立してから、局側装置および宅側装置間において各種通信サービスを提供するための通信情報の伝送が開始されるまでの時間すなわち通信待ち時間を短縮することができる。したがって、宅側装置との通信接続が確立されてから当該宅側装置へ通信サービスが提供できるまでに要する時間を短縮することができる。
【００３２】
以下、本開示の実施の形態について図面を用いて説明する。なお、図中同一または相当部分には同一符号を付してその説明は繰り返さない。また、以下に記載する実施の形態の少なくとも一部を任意に組み合わせてもよい。
【００３３】
［通信システム］
図１は、本開示の実施の形態に係るＰＯＮシステムの構成を示す図である。
【００３４】
図１を参照して、通信システムの一例であるＰＯＮシステム３００は、複数の宅側装置２００と、上位ネットワークに接続された局側装置１００と、複数の宅側装置２００にそれぞれ接続された複数の端末装置２１０と、スプリッタＳＰとを備える。局側装置１００は、複数の宅側装置２００と通信可能である。
【００３５】
ＰＯＮシステム３００は、ＤＰｏＥ（ＤＯＣＳＩＳ  Ｐｒｏｖｉｓｉｏｎｉｎｇ  ｏｆ  ＥＰＯＮ）システムであってもよいし、ＤＰｏＥ以外のＰＯＮシステムであってもよい。
【００３６】
複数の宅側装置２００と局側装置１００とは、スプリッタＳＰおよび光ファイバを介して接続され、互いに光信号を送受信する。図１に示す例では、１つの局側装置１００に５１２台の宅側装置２００が接続されている。
【００３７】
以下では、便宜上、５１２台の宅側装置２００の各々に１から５１２までの通し番号を付して説明する。また、たとえば通し番号が１番である宅側装置２００を宅側装置２００−１と称するように、通し番号がＮ番である宅側装置２００を宅側装置２００−Ｎと称する場合がある。
【００３８】
ＰＯＮシステム３００では、各宅側装置２００から局側装置１００への光信号が時分割多重される。
【００３９】
局側装置１００は、宅側装置２００との通信接続を確立するための接続処理を行う。より詳細には、局側装置１００は、接続処理としてたとえばディスカバリ処理を行うことにより、宅側装置２００との通信接続を確立する。すなわち、局側装置１００におけるディスカバリ処理により、当該宅側装置２００はリンクアップする。
【００４０】
また、局側装置１００は、複数の宅側装置２００にそれぞれ対応する複数の設定情報を取得し、取得した各設定情報に含まれる一部または全部の情報を用いて対応の宅側装置２００との通信に関する設定処理を行う。
【００４１】
そして、局側装置１００は、設定処理において設定された情報を用いて、リンクアップ済すなわち通信接続を確立済の宅側装置２００と通信する。
【００４２】
より詳細には、局側装置１００は、複数の宅側装置２００にそれぞれ対応する複数のコンフィグファイルを取得する。コンフィグファイルは、局側装置１００と宅側装置２００との通信等に用いる各種設定情報を含む。
【００４３】
局側装置１００は、取得したコンフィグファイルに含まれる設定情報に含まれる一部または全部の情報を自己のＬＳＩ（Ｌａｒｇｅ  Ｓｃａｌｅ  Ｉｎｔｅｇｒａｔｉｏｎ）等に設定する。
【００４４】
より詳細には、コンフィグファイルに含まれる設定情報は、たとえば、宅側装置２００のＭＡＣ（Ｍｅｄｉａ  Ａｃｃｅｓｓ  Ｃｏｎｔｒｏｌ）アドレス、ＬＬＩＤ（Ｌｏｇｉｃａｌ  Ｌｉｎｋ  Ｉｄｅｎｔｉｆｉｅｒ）、ＶＬＡＮ（Ｖｉｒｔｕａｌ  Ｌｏｃａｌ  Ａｒｅａ  Ｎｅｔｗｏｒｋ）、最大帯域、最低保証帯域、帯域優先度、宅側装置２００のＩＤおよびパスワード等の情報を含む。
【００４５】
局側装置１００は、コンフィグファイルに含まれる設定情報のうち、たとえば宅側装置２００のＭＡＣアドレス、ＬＬＩＤ、ＶＬＡＮ、最大帯域、最低保証帯域、帯域優先度、宅側装置２００のＩＤおよびパスワードを自己のＬＳＩ等に設定する。以下、局側装置１００が自己に設定する、ＭＡＣアドレス、ＬＬＩＤ、ＶＬＡＮ、最大帯域、最低保証帯域、帯域優先度、宅側装置２００のＩＤおよびパスワードを、通信用設定情報と総称する。
【００４６】
局側装置１００は、自己に設定した通信用設定情報に含まれる、宅側装置２００のＭＡＣアドレス、宅側装置２００のＩＤおよびパスワード等の認証情報を用いて、宅側装置２００の認証処理を行う。
【００４７】
より詳細には、局側装置１００は、宅側装置２００から受信した認証要求に含まれるＭＡＣアドレス、ユーザＩＤおよびパスワード等の認証情報と、自己の保持する認証情報とを照合する。
【００４８】
局側装置１００は、宅側装置２００の認証が成功すると、取得したコンフィグファイルに含まれる設定情報に含まれる一部または全部の情報を、拡張ＯＡＭ等を用いて当該宅側装置２００へ送信する。
【００４９】
より詳細には、局側装置１００は、コンフィグファイルに含まれる設定情報のうち、たとえば宅側装置２００のＬＬＩＤ、最大帯域および最低保証帯域を当該宅側装置２００へ送信する。以下、局側装置１００が宅側装置２００へ送信する、ＬＬＩＤ、最大帯域および最低保証帯域を、ＯＮＵ設定情報と総称する。
【００５０】
宅側装置２００は、ＯＮＵ設定情報を局側装置１００から受信すると、受信したＯＮＵ設定情報を自己のＬＳＩ等に設定する。
【００５１】
宅側装置２００によるＯＮＵ設定情報の設定が完了すると、局側装置１００および宅側装置２００間において各種通信サービスを提供するための通信情報の伝送が開始される。
【００５２】
［課題］
ところで、ＰＯＮシステム３００において、複数の宅側装置２００が同時期にリンクアップする場合がある。
【００５３】
たとえば、ＰＯＮシステム３００において、定期的または不定期に、局側装置１００のファームウェアの更新または書き換えが行われる。光ファイバに多数の宅側装置２００が接続された状態で局側装置１００のファームウェアの更新等を行って局側装置１００を再起動すると、再起動の直後に多数の宅側装置２００が一斉にリンクアップする。
【００５４】
このように、多数の宅側装置２００が一斉にリンクアップする場合、宅側装置２００がリンクアップしてから実際に局側装置１００および宅側装置２００間において上記通信情報の伝送が開始されるまでの時間（以下、通信待ち時間とも称する。）は長くなる。
【００５５】
図２は、本開示の実施の形態に係るＰＯＮシステムにおける各種処理の順番の一例を示す図である。
【００５６】
図２を参照して、１つの局側装置１００に対して、宅側装置２００−３、宅側装置２００−４、宅側装置２００−１、宅側装置２００−５および宅側装置２００−２がこの順にリンクアップした場合を想定する。
【００５７】
たとえば、局側装置１００は、宅側装置２００の接続状態すなわちリンクアップ済か否かに関わらず、宅側装置２００の通し番号の順番に従い、宅側装置２００−１、宅側装置２００−２、宅側装置２００−３、宅側装置２００−４および宅側装置２００−５の順に、対応の設定情報をそれぞれ用いて設定処理を行う。この場合、宅側装置２００−３が最初にリンクアップしたにも関わらず、リンクアップ済でない宅側装置２００−１および宅側装置２００−２についての設定処理が完了した後に、宅側装置２００−３の設定処理が開始される。したがって、宅側装置２００−３の通信待ち時間は長くなってしまう。
【００５８】
一例として、局側装置１００は、１台の宅側装置２００についての設定処理を完了するまでに数百ミリ秒の時間を要し、５１２台の宅側装置２００についての設定処理を逐次的に行う場合、すべての宅側装置２００についての設定処理が完了するまでに数分の時間を要する。
【００５９】
したがって、たとえば５１２台の宅側装置２００のうち宅側装置２００−５１２が最初にリンクアップした場合において、局側装置１００が５１２台の宅側装置２００についての設定処理を通し番号の順番に従って行うと、宅側装置２００−５１２の設定処理は最後に行われるため、宅側装置２００−５１２の通信待ち時間は、数分間となる。
【００６０】
このように、多数の宅側装置２００が一斉にリンクアップする状況において、宅側装置２００の接続状態に関わらず複数の宅側装置２００にそれぞれ対応する設定情報を用いて設定処理を行った場合、一部または全部の宅側装置２００の通信待ち時間が長くなってしまう。
【００６１】
そこで、本開示の実施の形態に係るＰＯＮシステムでは、以下のような構成および動作により、上記問題を解決する。
【００６２】
［局側装置］
局側装置１００は、通信接続を確立していない宅側装置２００についての接続処理を行うことと並行して、リンクアップ済の宅側装置２００についての設定処理を優先的に開始する。
【００６３】
図３は、本開示の実施の形態に係る局側装置の構成を示す図である。
【００６４】
図３を参照して、局側装置１００は、取得部１１０と、設定部１２０と、通信部１３０と、記憶部１４０とを備える。通信部１３０は、たとえばＬＳＩにより実現される。記憶部１４０は、たとえば不揮発性メモリである。
【００６５】
取得部１１０は、複数の宅側装置２００にそれぞれ対応するコンフィグファイルを取得する。
【００６６】
たとえば、記憶部１４０は、複数の宅側装置２００にそれぞれ対応する複数のコンフィグファイルを記憶している。
【００６７】
取得部１１０は、記憶部１４０におけるコンフィグファイルのうち、設定処理されていない通信用設定情報に対応するコンフィグファイルを取得し、取得したコンフィグファイルを設定部１２０へ出力する。
【００６８】
より詳細には、たとえば、記憶部１４０における各コンフィグファイルには、設定処理されている通信用設定情報に対応するコンフィグファイルと、設定処理されていない通信用設定情報に対応するコンフィグファイルとを区別するためのフラグが付与されている。取得部１１０は、上記フラグを確認することにより、設定処理されていない通信用設定情報に対応するコンフィグファイルを識別する。
【００６９】
以下、設定処理されている通信用設定情報に対応するコンフィグファイルを設定済コンフィグファイルとも称し、設定処理されていない通信用設定情報に対応するコンフィグファイルを未設定コンフィグファイルとも称する。たとえば、局側装置１００のファームウェアの更新等を行って局側装置１００を再起動すると、上記フラグがリセットされることにより、すべてのコンフィグファイルは未設定コンフィグファイルとなる。
【００７０】
設定部１２０は、取得部１１０によって取得されたコンフィグファイルに含まれる一部または全部の情報を通信部１３０に設定する設定処理を行う。
【００７１】
たとえば、設定部１２０は、取得部１１０からコンフィグファイルを受けると、受けたコンフィグファイルに含まれる通信用設定情報を通信部１３０へ出力することにより、通信部１３０のレジスタ等に設定情報を書き込む。
【００７２】
ここで、局側装置１００では、一例として、ハードウェア的な制約により、宅側装置２００についての設定処理を逐次的に行う必要がある。
【００７３】
設定部１２０は、たとえば、宅側装置２００についての設定処理を逐次的に行い、１つの宅側装置２００についての設定処理が完了すると、次の宅側装置２００についての設定処理を開始する。
【００７４】
より詳細には、通信部１３０は、設定部１２０による１つの宅側装置２００についての設定処理が完了すると、当該設定処理が完了したことを示す設定完了情報を取得部１１０へ出力する。
【００７５】
取得部１１０は、通信部１３０から設定完了情報を受けると、記憶部１４０を参照し、直近で取得したコンフィグファイルに付与されているフラグを設定することにより、当該コンフィグファイルを設定済コンフィグファイルとするとともに、１または複数の未設定コンフィグファイルの中から次の設定処理に用いるコンフィグファイルを記憶部１４０から取得して設定部１２０へ出力する。
【００７６】
設定部は、取得部１１０からコンフィグファイルを受けて、受けたコンフィグファイルに含まれる通信用設定情報を通信部１３０に設定する。
【００７７】
通信部１３０は、宅側装置２００との通信接続を確立するための接続処理たとえばディスカバリ処理を行う。また、通信部１３０は、設定部１２０に設定された通信用設定情報を用いて、対応する宅側装置２００と通信する。
【００７８】
たとえば、通信部１３０は、設定部１２０に設定された通信用設定情報に含まれる認証情報を用いて、宅側装置２００の認証処理を行う。
【００７９】
より詳細には、通信部１３０は、宅側装置２００から受信した認証要求に含まれる認証情報と、設定部１２０に設定された通信用設定情報に含まれる認証情報とを照合する。
【００８０】
通信部１３０は、宅側装置２００の認証が成功すると、対応する宅側装置２００のＭＡＣアドレスを含む認証成功情報を、設定部１２０へ出力する。
【００８１】
設定部１２０は、通信部１３０から認証成功情報を受けると、受けた認証成功情報が示すＭＡＣアドレスに対応するコンフィグファイルに含まれるＯＮＵ設定情報を、拡張ＯＡＭ等を用いて、対応の宅側装置２００へ通信部１３０経由で送信する。
【００８２】
宅側装置２００は、ＯＮＵ設定情報を通信部１３０経由で設定部１２０から受信すると、受信したＯＮＵ設定情報を自己のＬＳＩ等に設定する。
【００８３】
通信部１３０は、宅側装置２００によるＯＮＵ設定情報の設定が完了すると、通信用設定情報を用いて、当該宅側装置２００と互いに光信号を送受信することにより、当該宅側装置２００と通信する。
【００８４】
設定部１２０は、通信接続を確立していない宅側装置２００についての接続処理を通信部１３０が行うことと並行して、リンクアップ済の宅側装置２００についての設定処理を優先的に開始する。
【００８５】
たとえば、設定部１２０は、リンクアップ済の１または複数の宅側装置２００を示す接続情報に基づいて、設定処理を開始する。
【００８６】
たとえば、記憶部１４０は、上記接続情報として、リンクアップ済の宅側装置２００の識別情報たとえばＭＡＣアドレスを示す管理テーブルを記憶している。
【００８７】
取得部１１０は、記憶部１４０における管理テーブルを参照することにより、記憶部１４０における１または複数の未設定コンフィグファイルの中から、リンクアップ済の宅側装置２００に対応するコンフィグファイルを優先的に取得して設定部１２０へ出力する。
【００８８】
より詳細には、取得部１１０は、記憶部１４０における管理テーブルを参照し、管理テーブルに宅側装置２００のＭＡＣアドレスが含まれている場合、記憶部１４０における１または複数の未設定コンフィグファイルの中から、当該ＭＡＣアドレスに対応するコンフィグファイルを検索する。取得部１１０は、検索対象のコンフィグファイルを検出すると、当該コンフィグファイルを記憶部１４０から取得して設定部１２０へ出力する。
【００８９】
たとえば、取得部１１０は、管理テーブルに複数のＭＡＣアドレスが含まれている場合、管理テーブルに含まれるＭＡＣアドレスのうち最先にリンクアップした宅側装置２００のＭＡＣアドレスに対応するコンフィグファイルを記憶部１４０から取得して設定部１２０へ出力する。
【００９０】
一方、取得部１１０は、管理テーブルに宅側装置２００のＭＡＣアドレスが含まれていない場合、たとえば通し番号が最も小さい宅側装置２００に対応するコンフィグファイルを記憶部１４０から取得して設定部１２０へ出力する。
【００９１】
通信部１３０は、ディスカバリ処理により宅側装置２００がリンクアップすると、当該宅側装置２００のＭＡＣアドレスを管理テーブルに登録する。
【００９２】
より詳細には、宅側装置２００は、通信部１３０によるディスカバリ処理において、自己の識別情報たとえば自己のＭＡＣアドレスを通信部１３０へ送信する。
【００９３】
通信部１３０は、ディスカバリ処理により宅側装置２００がリンクアップすると、ディスカバリ処理において当該宅側装置２００から受信したＭＡＣアドレスを記憶部１４０における管理テーブルに登録する。
【００９４】
また、取得部１１０は、通信部１３０から設定完了情報を受けると、直近で取得したコンフィグファイルに対応するＭＡＣアドレスを、管理テーブルから削除する。そして、取得部１１０は、更新後の管理テーブルを参照することにより、次の設定処理において用いるコンフィグファイルとして、リンクアップ済の宅側装置２００に対応するコンフィグファイルを取得する。
【００９５】
図４は、本開示の実施の形態に係るＰＯＮシステムにおける各種処理の順番の一例を示す図である。
【００９６】
図５は、本開示の実施の形態に係るＰＯＮシステムにおける管理テーブルの一例を示す図である。
【００９７】
図４を参照して、宅側装置２００−３、宅側装置２００−４、宅側装置２００−１、宅側装置２００−５および宅側装置２００−２がこの順にリンクアップした場合を想定する。
【００９８】
この場合、図５に示すように、通信部１３０は、宅側装置２００−３のＭＡＣアドレス、宅側装置２００−４のＭＡＣアドレス、宅側装置２００−１のＭＡＣアドレス、宅側装置２００−５のＭＡＣアドレスおよび宅側装置２００−２のＭＡＣアドレスがこの順に並ぶように各ＭＡＣアドレスを管理テーブルに登録する。
【００９９】
図４に示す例では、取得部１１０は、図５に示す管理テーブルを参照することにより、リンクアップ済の宅側装置２００のうち最先にリンクアップした宅側装置２００−３に対応するコンフィグファイルを記憶部１４０から取得し、取得したコンフィグファイルを設定部１２０へ出力する。
【０１００】
設定部１２０は、取得部１１０から宅側装置２００−３に対応するコンフィグファイルを受けると、受けたコンフィグファイルに含まれる通信用設定情報を通信部１３０に設定する。
【０１０１】
通信部１３０は、宅側装置２００−３に対応するコンフィグファイルに含まれる認証情報を用いて、宅側装置２００−３の認証処理を行う。
【０１０２】
［動作の流れ］
ＰＯＮシステム３００における各装置は、メモリを含むコンピュータを備え、当該コンピュータにおけるＣＰＵ等の演算処理部は、以下のフローチャートおよびシーケンスの各ステップの一部または全部を含むプログラムを当該メモリから読み出して実行する。これら複数の装置のプログラムは、それぞれ、外部からインストールすることができる。これら複数の装置のプログラムは、それぞれ、記録媒体に格納された状態で流通する。
【０１０３】
図６は、本開示の実施の形態に係るＰＯＮシステムにおいて局側装置が宅側装置の設定処理を行なう際の動作手順を定めたフローチャートである。
【０１０４】
図６を参照して、まず、局側装置１００における取得部１１０は、記憶部１４０を参照し、記憶部１４０に未設定コンフィグファイルが含まれている場合（ステップＳ１０２でＹＥＳ）、記憶部１４０における管理テーブルを参照する（ステップＳ１０４）。
【０１０５】
次に、取得部１１０は、管理テーブルにＭＡＣアドレスすなわちリンクアップ済の宅側装置２００のＭＡＣアドレスが含まれている場合（ステップＳ１０６でＹＥＳ）、記憶部１４０における未設定コンフィグファイルの中から、当該ＭＡＣアドレスに対応するコンフィグファイルを検索する。なお、取得部１１０は、管理テーブルに含まれるＭＡＣアドレスが複数存在する場合、これらのＭＡＣアドレスのうち最先にリンクアップした宅側装置２００のＭＡＣアドレスに対応するコンフィグファイルを検索する（ステップＳ１０８）。
【０１０６】
次に、取得部１１０は、コンフィグファイルを検索した結果、検索対象のコンフィグファイルが記憶部１４０に含まれていない場合（ステップＳ１１０でＮＯ）、エラーログを記憶部１４０に保存するとともに、記憶部１４０に他の未設定コンフィグファイルが含まれている場合（ステップＳ１０２でＹＥＳ）、再び記憶部１４０における管理テーブルを参照する（ステップＳ１０４）。
【０１０７】
一方、取得部１１０は、コンフィグファイルを検索した結果、検索対象のコンフィグファイルが記憶部１４０に含まれている場合（ステップＳ１１０でＹＥＳ）、当該コンフィグファイルを取得して設定部１２０へ出力する（ステップＳ１１２）。
【０１０８】
一方、取得部１１０は、管理テーブルにＭＡＣアドレスすなわちリンクアップ済の宅側装置２００のＭＡＣアドレスが含まれていない場合（ステップＳ１０６でＮＯ）、記憶部１４０における未設定コンフィグファイルの中から、所定の順番たとえば宅側装置２００の通し番号の順番に従って対応のコンフィグファイルを取得し、取得したコンフィグファイルを設定部１２０へ出力する（ステップＳ１１４）。
【０１０９】
次に、設定部１２０は、取得部１１０からコンフィグファイルを受けると、受けたコンフィグファイルに含まれる通信用設定情報を通信部１３０に設定する設定処理を行う（ステップＳ１１６）。
【０１１０】
次に、取得部１１０は、通信部１３０から設定完了情報を受けるまで待機し（ステップＳ１１８でＮＯ）、通信部１３０から設定完了情報を受けると（ステップＳ１１８でＹＥＳ）、記憶部１４０における管理テーブルを参照し、管理テーブルに直近で取得したコンフィグファイルに対応するＭＡＣアドレスが含まれている場合、当該ＭＡＣアドレスを管理テーブルから削除する（ステップＳ１２０）。
【０１１１】
次に、取得部１１０は、再び記憶部１４０を参照し、記憶部１４０に未設定コンフィグファイルが含まれている場合（ステップＳ１０２でＹＥＳ）、次の設定処理に用いるコンフィグファイルを取得するために、再び管理テーブルを参照する（ステップＳ１０４）。
【０１１２】
図７は、本開示の実施の形態に係るＰＯＮシステムの局側装置および宅側装置による各種処理のシーケンスを示す図である。
【０１１３】
図８は、図７のシーケンスに従って各種処理を行った場合における管理テーブルの変化の一例を示す図である。
【０１１４】
図７を参照して、まず、局側装置１００における通信部１３０は、ディスカバリ処理を行うことにより、宅側装置２００−１との通信接続を確立する（ステップＳ２０２）。
【０１１５】
次に、通信部１３０は、ディスカバリ処理により宅側装置２００−１がリンクアップすると、宅側装置２００−１のＭＡＣアドレスを管理テーブルに登録する（ステップＳ２０４）。更新後の管理テーブルには、図８に示すように、宅側装置２００−１のＭＡＣアドレスが含まれる。
【０１１６】
次に、局側装置１００における取得部１１０は、管理テーブルを参照し、リンクアップ済の宅側装置２００に対応するコンフィグファイルを優先的に取得して設定部１２０へ出力する。図８に示すように、管理テーブルには宅側装置２００−１のＭＡＣアドレスが含まれるため、取得部１１０は、宅側装置２００−１に対応するコンフィグファイルを取得して設定部１２０へ出力する（ステップＳ２０６）。
【０１１７】
次に、局側装置１００における設定部１２０は、取得部１１０から宅側装置２００−１に対応するコンフィグファイルを受けると、受けたコンフィグファイルに含まれる通信用設定情報を通信部１３０に設定する設定処理を開始し（ステップＳ２０８）、通信用設定情報を通信部１３０へ出力する（ステップＳ２１０）。
【０１１８】
次に、通信部１３０は、ディスカバリ処理を行うことにより、宅側装置２００−７との通信接続を確立する（ステップＳ２１２）。
【０１１９】
次に、通信部１３０は、ディスカバリ処理により宅側装置２００−７がリンクアップすると、宅側装置２００−７のＭＡＣアドレスを管理テーブルに登録する（ステップＳ２１４）。更新後の管理テーブルには、図８に示すように、宅側装置２００−１のＭＡＣアドレスおよび宅側装置２００−７のＭＡＣアドレスがこの順に含まれる。
【０１２０】
次に、通信部１３０は、ディスカバリ処理を行うことにより、宅側装置２００−３との通信接続を確立する（ステップＳ２１６）。
【０１２１】
次に、通信部１３０は、ディスカバリ処理により宅側装置２００−３がリンクアップすると、宅側装置２００−３のＭＡＣアドレスを管理テーブルに登録する（ステップＳ２１８）。更新後の管理テーブルには、図８に示すように、宅側装置２００−１のＭＡＣアドレス、宅側装置２００−７のＭＡＣアドレスおよび宅側装置２００−３のＭＡＣアドレスがこの順に含まれる。
【０１２２】
次に、通信部１３０は、宅側装置２００−１についての設定処理が完了すると、設定処理が完了したことを示す設定完了情報を取得部１１０へ出力する（ステップＳ２２０）。
【０１２３】
次に、取得部１１０は、通信部１３０から設定完了情報を受けると、記憶部１４０における管理テーブルを参照し、宅側装置２００−１のＭＡＣアドレスを管理テーブルから削除する（ステップＳ２２２）。更新後の管理テーブルには、図８に示すように、宅側装置２００−７のＭＡＣアドレスおよび宅側装置２００−３のＭＡＣアドレスがこの順に含まれる。
【０１２４】
次に、取得部１１０は、管理テーブルを参照し、リンクアップ済の宅側装置２００に対応するコンフィグファイルを優先的に取得して設定部１２０へ出力する。図８に示すように、管理テーブルには宅側装置２００−７のＭＡＣアドレスおよび宅側装置２００−３のＭＡＣアドレスがこの順に含まれるため、取得部１１０は、最先にリンクアップした宅側装置２００−７に対応するコンフィグファイルを取得して設定部１２０へ出力する（ステップＳ２２４）。
【０１２５】
次に、設定部１２０は、取得部１１０から宅側装置２００−７に対応するコンフィグファイルを受けると、受けたコンフィグファイルに含まれる通信用設定情報を通信部１３０に設定する設定処理を開始し（ステップＳ２２６）、通信用設定情報を通信部１３０へ出力する（ステップＳ２２８）。
【０１２６】
次に、通信部１３０は、宅側装置２００−７についての設定処理が完了すると、設定処理が完了したことを示す設定完了情報を取得部１１０へ出力する（ステップＳ２３０）。
【０１２７】
次に、取得部１１０は、通信部１３０から設定完了情報を受けると、記憶部１４０における管理テーブルを参照し、宅側装置２００−７のＭＡＣアドレスを管理テーブルから削除する（ステップＳ２３２）。更新後の管理テーブルには、図８に示すように、宅側装置２００−３のＭＡＣアドレスが含まれる。
【０１２８】
次に、取得部１１０は、管理テーブルを参照し、リンクアップ済の宅側装置２００に対応するコンフィグファイルを優先的に取得して設定部１２０へ出力する。図８に示すように、管理テーブルには宅側装置２００−３のＭＡＣアドレスが含まれるため、取得部１１０は、宅側装置２００−３に対応するコンフィグファイルを取得して設定部１２０へ出力する（ステップＳ２３４）。
【０１２９】
次に、設定部１２０は、取得部１１０から宅側装置２００−３に対応するコンフィグファイルを受けると、受けたコンフィグファイルに含まれる通信用設定情報を通信部１３０に設定する設定処理を開始し（ステップＳ２３６）、通信用設定情報を通信部１３０へ出力する（ステップＳ２３８）。
【０１３０】
次に、通信部１３０は、ディスカバリ処理を行うことにより、宅側装置２００−５との通信接続を確立する（ステップＳ２４０）。
【０１３１】
次に、通信部１３０は、ディスカバリ処理により宅側装置２００−５がリンクアップすると、宅側装置２００−５のＭＡＣアドレスを管理テーブルに登録する（ステップＳ２４２）。更新後の管理テーブルには、図８に示すように、宅側装置２００−３のＭＡＣアドレスおよび宅側装置２００−５のＭＡＣアドレスがこの順に含まれる。
【０１３２】
次に、通信部１３０は、宅側装置２００−３についての設定処理が完了すると、設定処理が完了したことを示す設定完了情報を取得部１１０へ出力する（ステップＳ２４４）。
【０１３３】
次に、取得部１１０は、通信部１３０から設定完了情報を受けると、記憶部１４０における管理テーブルを参照し、宅側装置２００−３のＭＡＣアドレスを管理テーブルから削除する（ステップＳ２４６）。更新後の管理テーブルには、図８に示すように、宅側装置２００−５のＭＡＣアドレスが含まれる。
【０１３４】
次に、取得部１１０は、管理テーブルを参照し、リンクアップ済の宅側装置２００に対応するコンフィグファイルを優先的に取得して設定部１２０へ出力する。図８に示すように、管理テーブルには宅側装置２００−５のＭＡＣアドレスが含まれるため、取得部１１０は、宅側装置２００−５に対応するコンフィグファイルを取得して設定部１２０へ出力する（ステップＳ２４８）。
【０１３５】
次に、設定部１２０は、取得部１１０から宅側装置２００−５に対応するコンフィグファイルを受けると、受けたコンフィグファイルに含まれる通信用設定情報を通信部１３０に設定する設定処理を開始し（ステップＳ２５０）、通信用設定情報を通信部１３０へ出力する（ステップＳ２５２）。
【０１３６】
（変形例１）
本開示の実施の形態に係る局側装置では、取得部１１０は、管理テーブルに複数のＭＡＣアドレスが含まれている場合、管理テーブルに含まれるＭＡＣアドレスのうち最先にリンクアップした宅側装置２００のＭＡＣアドレスに対応するコンフィグファイルを記憶部１４０から取得して設定部１２０へ出力する。一方、取得部１１０は、管理テーブルにＭＡＣアドレスが含まれていない場合、通し番号が最も小さい宅側装置２００に対応するコンフィグファイルを記憶部１４０から取得して設定部１２０へ出力する。そして、設定部１２０は、取得部１１０から受けたコンフィグファイルに含まれる通信用設定情報を通信部１３０に設定する構成であるとしたが、これに限定するものではない。
【０１３７】
設定部１２０は、リンクアップ済の複数の宅側装置２００の中から、宅側装置２００の優先度に応じた順番に従って設定処理を開始する構成であってもよい。また、設定部１２０は、リンクアップ済の宅側装置２００が存在しない場合、リンクアップ済ではない複数の宅側装置２００の中から、宅側装置２００の優先度に応じた順番に従って設定処理を開始する構成であってもよい。
【０１３８】
より詳細には、記憶部１４０は、優先的に設定処理をすべき宅側装置２００のＭＡＣアドレスを示す優先テーブルを記憶している。
【０１３９】
図９は、本開示の実施の形態の変形例１に係る局側装置における記憶部が記憶している優先テーブルを示す図である。
【０１４０】
図９に示す例では、記憶部１４０における優先テーブルには、優先的に設定処理をすべき宅側装置２００の通し番号である１７、３３、１５１および４３５と、対応するＭＡＣアドレスとが含まれている。
【０１４１】
取得部１１０は、記憶部１４０における管理テーブルを参照し、管理テーブルに複数の宅側装置２００のＭＡＣアドレスが含まれている場合、優先テーブルを参照し、管理テーブルに含まれる複数のＭＡＣアドレスの中から、優先テーブルに含まれるＭＡＣアドレスと一致するＭＡＣアドレスを検索する。すなわち、取得部１１０は、管理テーブルおよび優先テーブルの両方に含まれるＭＡＣアドレスを検索する。
【０１４２】
そして、取得部１１０は、記憶部１４０における１または複数の未設定コンフィグファイルの中から、当該ＭＡＣアドレスに対応するコンフィグファイルを検索する。取得部１１０は、検索対象のコンフィグファイルを検出すると、当該コンフィグファイルを記憶部１４０から取得して設定部１２０へ出力する。
【０１４３】
たとえば、取得部１１０は、管理テーブルに宅側装置２００−１０のＭＡＣアドレスおよび宅側装置２００−１７のＭＡＣアドレスが含まれている場合、記憶部１４０における優先テーブルを参照して、管理テーブルおよび優先テーブルの両方に含まれるＭＡＣアドレスである、宅側装置２００−１７のＭＡＣアドレスを抽出する。
【０１４４】
そして、取得部１１０は、記憶部１４０における未設定コンフィグファイルの中から、宅側装置２００−１７のＭＡＣアドレスに対応するコンフィグファイルを検索する。取得部１１０は、検索対象である宅側装置２００−１７のＭＡＣアドレスに対応するコンフィグファイルを検出すると、当該コンフィグファイルを記憶部１４０から取得して設定部１２０へ出力する。
【０１４５】
また、取得部１１０は、管理テーブルおよび優先テーブルの両方に含まれるＭＡＣアドレスが複数存在する場合、これらのＭＡＣアドレスのうち最先にリンクアップした宅側装置２００のＭＡＣアドレスに対応するコンフィグファイルを記憶部１４０から取得して設定部１２０へ出力する。
【０１４６】
また、取得部１１０は、管理テーブルに宅側装置２００のＭＡＣアドレスが含まれていない場合、優先テーブルを参照し、優先テーブルに含まれる１または複数のＭＡＣアドレスのうち、たとえば通し番号が最も小さい宅側装置２００に対応するコンフィグファイルを記憶部１４０から取得して設定部１２０へ出力する。
【０１４７】
図１０は、本開示の実施の形態の変形例１に係るＰＯＮシステムにおいて局側装置が宅側装置の設定処理を行なう際の動作手順を定めたフローチャートである。
【０１４８】
図１０を参照して、まず、局側装置１００における取得部１１０は、記憶部１４０を参照し、記憶部１４０に未設定コンフィグファイルが含まれている場合（ステップＳ３０２でＹＥＳ）、記憶部１４０における管理テーブルを参照する（ステップＳ３０４）。
【０１４９】
次に、取得部１１０は、管理テーブルにＭＡＣアドレスすなわちリンクアップ済の宅側装置２００のＭＡＣアドレスが複数含まれている場合（ステップＳ３０６でＹＥＳ、かつステップＳ３０８でＹＥＳ）、記憶部１４０における優先テーブルを参照する（ステップＳ３１０）。
【０１５０】
次に、取得部１１０は、管理テーブルおよび優先テーブルの両方に含まれるＭＡＣアドレスを検索する（ステップＳ３１２）。
【０１５１】
次に、取得部１１０は、記憶部１４０における未設定コンフィグファイルの中から、管理テーブルおよび優先テーブルの両方に含まれるＭＡＣアドレスに対応するコンフィグファイルを検索する。なお、取得部１１０は、管理テーブルおよび優先テーブルの両方に含まれるＭＡＣアドレスが複数存在する場合、これらのＭＡＣアドレスのうち最先にリンクアップした宅側装置２００のＭＡＣアドレスに対応するコンフィグファイルを検索する（ステップＳ３１４）。
【０１５２】
一方、取得部１１０は、管理テーブルにＭＡＣアドレスすなわちリンクアップ済の宅側装置２００のＭＡＣアドレスが１つ含まれている場合（ステップＳ３０６でＹＥＳ、かつステップＳ３０８でＮＯ）、記憶部１４０における未設定コンフィグファイルの中から、当該ＭＡＣアドレスに対応するコンフィグファイルを検索する（ステップＳ３１４）。
【０１５３】
次に、取得部１１０は、コンフィグファイルを検索した結果、検索対象のコンフィグファイルが記憶部１４０に含まれていない場合（ステップＳ３１６でＮＯ）、エラーログを記憶部１４０に保存するとともに、記憶部１４０に他の未設定コンフィグファイルが含まれている場合（ステップＳ３０２でＹＥＳ）、再び記憶部１４０における管理テーブルを参照する（ステップＳ３０４）。
【０１５４】
一方、取得部１１０は、コンフィグファイルを検索した結果、検索対象のコンフィグファイルが記憶部１４０に含まれている場合（ステップＳ３１６でＹＥＳ）、当該コンフィグファイルを記憶部１４０から取得して設定部１２０へ出力する（ステップＳ３１８）。
【０１５５】
一方、取得部１１０は、管理テーブルにＭＡＣアドレスすなわちリンクアップ済の宅側装置２００のＭＡＣアドレスが含まれていない場合（ステップＳ３０６でＮＯ）、記憶部１４０における優先テーブルを参照する（ステップＳ３２０）。
【０１５６】
次に、取得部１１０は、優先テーブルに含まれるＭＡＣアドレスに対応するコンフィグファイルの中から、所定の順番たとえば宅側装置２００の通し番号の順番に従って対応のコンフィグファイルを取得し、取得したコンフィグファイルを設定部１２０へ出力する（ステップＳ３２２）。
【０１５７】
次に、設定部１２０は、取得部１１０からコンフィグファイルを受けると、受けたコンフィグファイルに含まれる通信用設定情報を通信部１３０に設定する設定処理を行う（ステップＳ３２４）。
【０１５８】
次に、取得部１１０は、通信部１３０から設定完了情報を受けるまで待機し（ステップＳ３２６でＮＯ）、通信部１３０から設定完了情報を受けると（ステップＳ３２６でＹＥＳ）、記憶部１４０における管理テーブルを参照し、管理テーブルに直近で取得したコンフィグファイルに対応するＭＡＣアドレスが含まれている場合、当該ＭＡＣアドレスを管理テーブルから削除する（ステップＳ３２８）。
【０１５９】
次に、取得部１１０は、再び記憶部１４０を参照し、記憶部１４０に未設定コンフィグファイルが含まれている場合（ステップＳ３０２でＹＥＳ）、次の設定処理に用いるコンフィグファイルを取得するために、再び管理テーブルを参照する（ステップＳ３０４）。
【０１６０】
（変形例２）
本開示の実施の形態の変形例１に係る局側装置では、取得部１１０は、管理テーブルおよび優先テーブルの両方に含まれるＭＡＣアドレスが複数存在する場合、これらのＭＡＣアドレスのうち最先にリンクアップした宅側装置２００のＭＡＣアドレスに対応するコンフィグファイルを記憶部１４０から取得して設定部１２０へ出力する。一方、取得部１１０は、管理テーブルにＭＡＣアドレスが含まれていない場合、優先テーブルに含まれる１または複数のＭＡＣアドレスのうち通し番号が最も小さい宅側装置２００のＭＡＣアドレスに対応するコンフィグファイルを記憶部１４０から取得して設定部１２０へ出力する。そして、設定部１２０は、取得部１１０から受けたコンフィグファイルに含まれる通信用設定情報を通信部１３０に設定する構成であるとしたが、これに限定するものではない。
【０１６１】
記憶部１４０は、優先的に設定処理をすべき宅側装置２００のＭＡＣアドレスを優先順位とともに示す優先テーブルを記憶している。
【０１６２】
図１１は、本開示の実施の形態の変形例２に係る局側装置における記憶部が記憶している優先テーブルを示す図である。
【０１６３】
図１１に示す例では、記憶部１４０における優先テーブルには、優先的に設定処理をすべき宅側装置２００の通し番号である１７、３３、１５１および４３５ならびにこれらの優先順位と、対応するＭＡＣアドレスとが含まれている。
【０１６４】
取得部１１０は、記憶部１４０における管理テーブルを参照し、管理テーブルに複数の宅側装置２００のＭＡＣアドレスが含まれている場合、優先テーブルを参照し、管理テーブルに含まれる複数のＭＡＣアドレスの中から、優先テーブルに含まれるＭＡＣアドレスと一致するＭＡＣアドレスを検索する。すなわち、取得部１１０は、管理テーブルおよび優先テーブルの両方に含まれるＭＡＣアドレスを検索する。
【０１６５】
取得部１１０は、管理テーブルおよび優先テーブルの両方に含まれるＭＡＣアドレスが複数存在する場合、これらのＭＡＣアドレスのうち優先順位がより高い宅側装置２００のＭＡＣアドレスに対応するコンフィグファイルを記憶部１４０から取得して設定部１２０へ出力する。
【０１６６】
たとえば、取得部１１０は、管理テーブルおよび優先テーブルの両方に、宅側装置２００−１５１のＭＡＣアドレスおよび宅側装置２００−３３のＭＡＣアドレスが含まれている場合、優先順位がより高い宅側装置２００−１５１のＭＡＣアドレスに対応するコンフィグファイルを記憶部１４０から取得して設定部１２０へ出力する。
【０１６７】
また、取得部１１０は、管理テーブルに宅側装置２００のＭＡＣアドレスが含まれていない場合、優先テーブルを参照し、優先テーブルに含まれる１または複数のＭＡＣアドレスのうち、優先順位がより高い宅側装置２００に対応するコンフィグファイルを記憶部１４０から取得して設定部１２０へ出力する。
【０１６８】
図１２は、本開示の実施の形態の変形例２に係るＰＯＮシステムにおいて局側装置が宅側装置の設定処理を行なう際の動作手順を定めたフローチャートである。
【０１６９】
図１２におけるステップＳ４０２からステップＳ４１２の処理は、図８におけるステップＳ３０２からステップＳ３１２の処理と同様である。
【０１７０】
ステップＳ４１２の次に、取得部１１０は、記憶部１４０における未設定コンフィグファイルの中から、管理テーブルおよび優先テーブルの両方に含まれるＭＡＣアドレスに対応するコンフィグファイルを検索する。なお、取得部１１０は、管理テーブルおよび優先テーブルの両方に含まれるＭＡＣアドレスが複数存在する場合、これらのＭＡＣアドレスのうち優先テーブルにおける優先順位がより高い宅側装置２００のＭＡＣアドレスに対応するコンフィグファイルを検索する（ステップＳ４１４）。
【０１７１】
次に、取得部１１０は、ステップＳ４１６からステップＳ４１８の処理として、図８におけるステップＳ３１６からステップＳ３１８と同様の処理を行う。
【０１７２】
一方、取得部１１０は、管理テーブルにＭＡＣアドレスすなわちリンクアップ済の宅側装置２００のＭＡＣアドレスが含まれていない場合（ステップＳ４０６でＮＯ）、記憶部１４０における優先テーブルを参照する（ステップＳ４２０）。
【０１７３】
次に、取得部１１０は、優先テーブルに含まれるＭＡＣアドレスに対応するコンフィグファイルの中から、優先順位がより高い宅側装置２００に対応するコンフィグファイルを取得し、取得したコンフィグファイルを設定部１２０へ出力する（ステップＳ４２２）。
【０１７４】
次に、取得部１１０および設定部１２０は、ステップＳ４２４からステップＳ４２８の処理として、図８におけるステップＳ３２４からステップＳ３２８と同様の処理を行う。
【０１７５】
なお、本開示の実施の形態に係る局側装置１００では、取得部１１０は、局側装置１００の記憶部１４０に含まれるコンフィグファイルを取得する構成であるとしたが、これに限定するものではない。取得部１１０は、局側装置１００の外部からコンフィグファイルを取得する構成であってもよい。
【０１７６】
また、本開示の実施の形態に係る局側装置１００では、設定部１２０は、コンフィグファイルに含まれる設定情報の一部である通信用設定情報を通信部１３０に設定する構成であるとしたが、これに限定するものではない。設定部１２０は、設定情報の全部を通信部１３０に設定する構成であってもよい。
【０１７７】
また、本開示の実施の形態に係る局側装置１００では、設定部１２０は、コンフィグファイルに含まれる設定情報の一部であるＯＮＵ設定情報を通信部１３０経由で宅側装置２００へ送信する構成であるとしたが、これに限定するものではない。設定部１２０は、設定情報の全部を宅側装置２００へ送信する構成であってもよい。
【０１７８】
また、本開示の実施の形態に係る局側装置１００では、設定部１２０が通信部１３０に設定する通信用設定情報の一部と、設定部１２０が宅側装置２００へ送信するＯＮＵ設定情報の一部とが同じである構成であるとしたが、これに限定するものではない。通信用設定情報およびＯＮＵ設定情報は全部が同じであってもよいし、全部が異なっていてもよい。
【０１７９】
また、本開示の実施の形態に係る局側装置１００では、設定部１２０は、各宅側装置２００についての設定処理を逐次的に行う構成であるとしたが、これに限定するものではない。設定部１２０は、複数の宅側装置２００についての設定処理を並行して行う構成であってもよい。すなわち、設定部１２０は、１つの宅側装置２００についての設定処理が完了する前に、次の宅側装置２００についての設定処理を開始する構成であってもよい。
【０１８０】
また、本開示の実施の形態に係る局側装置１００では、取得部１１０は、リンクアップ済の宅側装置２００のＭＡＣアドレスを示す管理テーブルを参照することにより、リンクアップ済の宅側装置２００に対応するコンフィグファイルを優先的に取得して設定部１２０へ出力する構成であるとしたが、これに限定するものではない。たとえば、局側装置１００は、リンクアップ済の宅側装置２００に対応するコンフィグファイルを記憶する第１の記憶部、およびリンクアップしていない宅側装置２００に対応するコンフィグファイルを記憶する第２の記憶部を備え、取得部１１０は、第１の記憶部から優先的にコンフィグファイルを取得する構成であってもよい。
【０１８１】
ところで、宅側装置との通信接続が確立されてから当該宅側装置へ通信サービスが提供できるまでに要する時間を短縮することが可能な技術が望まれる。
【０１８２】
これに対して、本開示の実施の形態に係る局側装置は、複数の宅側装置２００と通信可能である。取得部１１０は、複数の宅側装置２００にそれぞれ対応する複数の設定情報を取得する。通信部１３０は、宅側装置２００との通信接続を確立するための接続処理を行うとともに、対応する設定情報に含まれる一部または全部の情報を用いて宅側装置２００と通信する。設定部１２０は、取得部１１０によって取得された設定情報に含まれる一部または全部の情報を通信部１３０に設定する設定処理を行う。設定部１２０は、通信接続を確立していない宅側装置２００についての接続処理を通信部１３０が行うことと並行して、通信接続を確立済の宅側装置２００についての設定処理を優先的に開始する。
【０１８３】
このように、通信接続を確立していない宅側装置２００についての接続処理を行うことと並行して、通信接続を確立済の宅側装置２００についての設定処理を優先的に開始する構成により、各宅側装置２００との通信接続が順次確立していく状況において、通信接続が確立した宅側装置２００についての設定処理を、通信接続が未確立の宅側装置２００についての設定処理よりも先に開始することができる。これにより、宅側装置２００との通信接続を確立してから、局側装置１００および宅側装置２００間において各種通信サービスを提供するための通信情報の伝送が開始されるまでの時間すなわち通信待ち時間を短縮することができる。
【０１８４】
したがって、本開示の実施の形態に係る局側装置では、宅側装置との通信接続が確立されてから当該宅側装置へ通信サービスが提供できるまでに要する時間を短縮することができる。
【０１８５】
また、本開示の実施の形態に係る局側装置では、設定部１２０は、通信接続を確立済の複数の宅側装置２００の中から、宅側装置２００の優先度に応じた順番に従って設定処理を開始する。
【０１８６】
このような構成により、通信接続を確立済の宅側装置２００を優先することに加えて、さらに、通信接続を確立済の複数の宅側装置２００の中から、優先度に応じて通信待ち時間を短縮することができる。これにより、たとえばビジネス向けの契約および一般住宅向けの契約等の契約内容に応じて、異なるサービスクラスの通信サービスを提供することができる。
【０１８７】
また、本開示の実施の形態に係る局側装置では、設定部１２０は、通信接続を確立済の１または複数の宅側装置２００を示す接続情報に基づいて、設定処理を開始する。
【０１８８】
このような構成により、通信接続を確立済の宅側装置２００を簡易な処理で認識し、当該通信接続を確立済の宅側装置２００についての設定処理を優先的に開始することができる。
【０１８９】
また、本開示の実施の形態に係る局側装置では、設定部１２０は、通信接続を確立済の宅側装置２００が存在しない場合、通信接続を確立していない複数の宅側装置２００の中から、宅側装置２００の優先度に応じた順番に従って設定処理を開始する。
【０１９０】
このような構成により、通信接続を確立済の宅側装置２００が存在しない場合においても、通信接続を確立していない複数の宅側装置２００の中から、優先度に応じて通信待ち時間を短縮することができる。
【０１９１】
また、本開示の実施の形態に係る通信システムは、複数の宅側装置２００と、複数の宅側装置２００と通信可能な局側装置１００とを備える。局側装置１００は、宅側装置２００との通信接続を確立するための接続処理を行う。局側装置１００は、複数の宅側装置２００にそれぞれ対応する複数の設定情報を取得し、取得した各設定情報に含まれる一部または全部の情報を用いて対応の宅側装置２００との通信に関する設定処理を行う。局側装置１００は、設定処理において設定された情報を用いて、通信接続を確立済の宅側装置２００と通信する。局側装置１００は、通信接続を確立していない宅側装置２００についての接続処理を行うことと並行して、通信接続を確立済の宅側装置２００についての設定処理を優先的に開始する。
【０１９２】
このように、局側装置１００が、通信接続を確立していない宅側装置２００についての接続処理を行うことと並行して、通信接続を確立済の宅側装置２００についての設定処理を優先的に開始する構成により、各宅側装置２００との通信接続が順次確立していく状況において、通信接続が確立した宅側装置２００についての設定処理を、通信接続が未確立の宅側装置２００についての設定処理よりも先に開始することができる。これにより、局側装置１００が宅側装置２００との通信接続を確立してから、局側装置１００および宅側装置２００間において各種通信サービスを提供するための通信情報の伝送が開始されるまでの時間すなわち通信待ち時間を短縮することができる。
【０１９３】
したがって、本開示の実施の形態に係る通信システムでは、宅側装置との通信接続が確立されてから当該宅側装置へ通信サービスが提供できるまでに要する時間を短縮することができる。
【０１９４】
また、本開示の実施の形態に係る通信制御方法は、複数の宅側装置２００と通信可能な局側装置１００における通信制御方法である。この通信制御方法では、まず、局側装置１００が、宅側装置２００との通信接続を確立するための接続処理を行う。また、局側装置１００が、複数の宅側装置２００にそれぞれ対応する複数の設定情報を取得する。次に、局側装置１００が、取得した各設定情報に含まれる一部または全部の情報を用いて対応の宅側装置２００との通信に関する設定処理を行う。局側装置１００は、通信接続を確立していない宅側装置２００についての接続処理を行うことと並行して、通信接続を確立済の宅側装置２００についての設定処理を優先的に開始する。
【０１９５】
このように、局側装置１００が、通信接続を確立していない宅側装置２００についての接続処理を行うことと並行して、通信接続を確立済の宅側装置２００についての設定処理を優先的に開始する構成により、各宅側装置２００との通信接続が順次確立していく状況において、通信接続が確立した宅側装置２００についての設定処理を、通信接続が未確立の宅側装置２００についての設定処理よりも先に開始することができる。これにより、局側装置１００が宅側装置２００との通信接続を確立してから、局側装置１００および宅側装置２００間において各種通信サービスを提供するための通信情報の伝送が開始されるまでの時間すなわち通信待ち時間を短縮することができる。
【０１９６】
したがって、本開示の実施の形態に係る通信制御方法では、宅側装置との通信接続が確立されてから当該宅側装置へ通信サービスが提供できるまでに要する時間を短縮することができる。
【０１９７】
また、本開示の実施の形態に係る通信制御方法は、複数の宅側装置２００と、複数の宅側装置２００と通信可能な局側装置１００とを備える通信システムにおける通信制御方法である。この通信制御方法では、まず、局側装置１００が、宅側装置２００との通信接続を確立するための接続処理を行う。また、局側装置１００が、複数の宅側装置２００にそれぞれ対応する複数の設定情報を取得する。次に、局側装置１００が、取得した各設定情報に含まれる一部または全部の情報を用いて対応の宅側装置２００との通信に関する設定処理を行う。次に、局側装置１００が、設定処理において設定された情報を用いて、通信接続を確立済の宅側装置と通信する。局側装置１００は、通信接続を確立していない宅側装置２００についての接続処理を行うことと並行して、通信接続を確立済の宅側装置２００についての設定処理を優先的に開始する。
【０１９８】
このように、局側装置１００が、通信接続を確立していない宅側装置２００についての接続処理を行うことと並行して、通信接続を確立済の宅側装置２００についての設定処理を優先的に開始する構成により、各宅側装置２００との通信接続が順次確立していく状況において、通信接続が確立した宅側装置２００についての設定処理を、通信接続が未確立の宅側装置２００についての設定処理よりも先に開始することができる。これにより、局側装置１００が宅側装置２００との通信接続を確立してから、局側装置１００および宅側装置２００間において各種通信サービスを提供するための通信情報の伝送が開始されるまでの時間すなわち通信待ち時間を短縮することができる。
【０１９９】
したがって、本開示の実施の形態に係る通信制御方法では、宅側装置との通信接続が確立されてから当該宅側装置へ通信サービスが提供できるまでに要する時間を短縮することができる。
【０２００】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０１】
以上の説明は、以下に付記する特徴を含む。
［付記１］
複数の宅側装置と通信可能な局側装置であって、
複数の前記宅側装置にそれぞれ対応する複数の設定情報を取得する取得部と、
前記宅側装置との通信接続を確立するための接続処理を行うとともに、対応する前記設定情報に含まれる一部または全部の情報を用いて前記宅側装置と通信する通信部と、
前記取得部によって取得された前記設定情報に含まれる一部または全部の情報を前記通信部に設定する設定処理を行う設定部とを備え、
前記設定部は、前記宅側装置についての前記設定処理を逐次的に行い、
前記設定部は、通信接続を確立していない前記宅側装置についての前記接続処理を前記通信部が行うことと並行して、通信接続を確立済の前記宅側装置についての前記設定処理を優先的に開始する、局側装置。
【符号の説明】
【０２０２】
１００  局側装置
１１０  取得部
１２０  設定部
１３０  通信部
１４０  記憶部
２００  宅側装置
２１０  端末装置
３００  ＰＯＮシステム
ＳＰ    スプリッタ
【図１】
2020127144.tif 000003
【図２】
2020127144.tif 000004
【図３】
2020127144.tif 000005
【図４】
2020127144.tif 000006
【図５】
2020127144.tif 000007
【図６】
2020127144.tif 000008
【図７】
2020127144.tif 000009
【図８】
2020127144.tif 000010
【図９】
2020127144.tif 000011
【図１０】
2020127144.tif 000012
【図１１】
2020127144.tif 000013
【図１２】
2020127144.tif 000014